(57)【要約】  【課題】  鋼矢板を確実にかつ簡単に把持することができる、作業性、安全性にすぐれた鋼矢板吊り具を提供することである。  【解決手段】軽量鋼矢板１８を吊り上げるための吊り具Ａであって、第１面材１と第２面材２とを互いに離隔対向した状態で一体に連結すると共に、両面材１、２は、前記第１面材１近傍で、前記鋼矢板１８の一側壁部先端の継手部１９に係止する継手係止部材３を回動自在に保持しており、継手係止部材３が継手部１９に係止した状態で、第２面材２は下部が継手部１９の外面に添うのに充分な長さを有しており、継手係止部材３が鋼矢板１８の継手部１９に係止して前記鋼矢板１８を吊り上げた状態で、継手係止部材３が回動するのを阻止するためのリング材１５が設けられ、さらに第１面材１および第２面材２に吊り部材２０が取り付けられる。【選択図】  図４
0003114465.tif 000002
【実用新案登録請求の範囲】
【請求項１】
鋼矢板を、長手方向を横向きにした姿勢で吊り上げるための吊り具であって、第１面材と第２面材とを互いに離隔対向した状態で一体に連結すると共に、少なくとも第１面材は、該第１面材近傍で、前記鋼矢板の一側壁部先端の継手部に係止する継手係止部材を回動自在に保持しており、
前記継手係止部材が鋼矢板の前記継手部に係止した状態で、前記第２面材は下部が前記継手部の外面に添うのに充分な長さを有しており、
前記継手係止部材が鋼矢板の前記継手部に係止して前記鋼矢板を吊り上げた状態で、継手係止部材が回動するのを阻止するための回動阻止手段が設けられ、
さらに第１面材および／または第２面材に吊り部材を取り付けたことを特徴とする鋼矢板吊り具。
【請求項２】
第１面材および第２面材が、前記第１面材近傍で、前記継手係止部材を回動自在に保持している請求項１記載の鋼矢板吊り具。
【請求項３】
離隔対向した前記第１面材および第２面材には貫通口が形成されており、これらの貫通口に筒体の両端を挿入すると共に、該筒体の第１面材近傍に前記継手係止部材が取り付けられている請求項１または２記載の鋼矢板吊り具。
【請求項４】
前記第１面材と対向する第２面材の内面には、前記鋼矢板を吊り上げた状態で、前記鋼矢板の継手部より上方に位置するピン部材が突設されている請求項１〜３のいずれかに記載の鋼矢板吊り具。
【請求項５】
前記回動阻止手段が、第１面材および第２面材に外挿された外挿材であり、この外挿材が、前記鋼矢板を吊り上げた状態で第１面材および第２面材の外面に沿って下部に落下して前記継手係止部材の回動を阻止する請求項１〜４のいずれかに記載の鋼矢板吊り具。
【請求項６】
前記第１面材の下端面は、該第１面材の幅方向の少なくとも半分が前記継手係止部材の回転中心軸を中心とする円弧状に形成されており、
前記継手係止部材の外面には、前記第１面材の下端面に接触ないし近接するガイド部が突設されており、
前記継手係止部材が、前記ガイド部に案内されながら、円弧状に形成された前記第１面材の下端面に沿って、第１面材の側面部から下端面部に至る範囲を回動するように構成されている請求項１〜５のいずれかに記載の鋼矢板吊り具。
【請求項７】
前記鋼矢板が軽量鋼矢板である請求項１〜６のいずれかに記載の鋼矢板吊り具。
【考案の詳細な説明】
【技術分野】
【０００１】
本考案は、土留壁等の施工に使用する鋼矢板を横向きにした姿勢で吊り上げるための鋼矢板吊り具に関する。
【背景技術】
【０００２】
鋼矢板は、港湾、河川、山留、基礎などの各工事分野において、水や土壌の仕切り壁を構成するために用いられている。すなわち、鋼矢板は、複数を相互に継手部で連結した状態で垂直に地中に埋設される場合と、図６に示すように、山間部などにおいて土留壁として、Ｈ形鋼１００間にＵ形鋼矢板１０１を横向きに連結して使用される場合がある。
【０００３】
後者の工事では、図７に示すように、クレーン１０２でＵ形鋼矢板１０１を吊り上げて、施工場所に搬送する必要がある。クレーン１０２でＵ形鋼矢板１０１を吊り上げる際に使用する鋼矢板保持具１０３としては、一般に図８に示すような形態のものが使用されていた。すなわち、このものは、長手方向を横向きにした鋼矢板１０１の上部に位置する一側壁部先端の継手部１０４（耳部）がＪ字形に折曲されているのを利用して、該継手部１０４に吊り具１０３の係止部１０５を係止させて、鋼矢板１０１をクレーン１０２で吊り上げるようにしている。
【０００４】
しかし、このような保持具１０３では、小さな係止部１０５で鋼矢板１０１を保持しているだけであるため、鋼矢板１０１やクレーンに衝撃や振動が加わった場合に、鋼矢板１０１が保持具１０３から外れて落下するおそれがあり、危険である。
【０００５】
一方、特許文献１には、鋼矢板の継手部分を確実につかむことができる鋼矢板吊り具が記載されている。この吊り具は、コ字形の掴み部における下壁部に上記のような係止部を設けて、この係止部を継手部分に挿入し、かつ上壁部および側壁部に設けた螺着孔を介して縦ボルトおよび横ボルトを螺入して、掴み部を固定した状態で、鋼矢板を吊り上げるようにしている。
【特許文献１】特開２００３−３０６２９０号公報（［0034］、［0036］、図５、図９）
【考案の開示】
【考案が解決しようとする課題】
【０００６】
特許文献１に記載の吊り具は、図９に示すような係止部１０５だけの保持では鋼矢板を確実に把持できないため、縦ボルトおよび横ボルトを鋼矢板の継手部分に当接させて、掴み部を固定している。
【０００７】
しかしながら、鋼矢板をクレーンで搬送するたびごとに、縦ボルトおよび横ボルトの締め付け、締め戻しを行なわなければならないため、搬送作業が非常に煩雑である。特に、多数の鋼矢板を施工場所に速やかに搬送しなければならないことを考慮すると、より作業性に優れた鋼矢板吊り具が要望されている。
【０００８】
また、ボルトの締付けは個人差があるため、縦ボルトおよび横ボルトの締付け強さが異なり、作業中の鋼矢板の保持が均一でなく、そのため締付け力が弱いと、搬送中に鋼矢板が吊り具から外れて落下する危険性があり、作業安全上の問題がある。
【０００９】
さらに、鋼矢板は、通常、地面などに複数枚を積み重ねて保管されており、施工時に上から１枚づつ鋼矢板を剥がすように吊り上げる。ところが、鋼矢板は重量物であるため、積載された鋼矢板は相互に強固に圧接されている。従って、図９に示すような、鋼矢板両端の継手部分のうち片側だけを保持して吊り上げる、いわゆる横吊り方法では、積み重ねた鋼矢板を上から１枚づつ引き剥がすのは困難である。そのため、まず、鋼矢板両端の継手部分を保持して水平に吊り上げ（４箇所保持）、一旦、仮置きしたのち、横吊りする（２箇所保持）必要がある。従って、前記したように、縦ボルトおよび横ボルトの締め付け、締め戻しを行なわなければならないことと相まって、搬送作業が非常に煩雑である。
【００１０】
本考案の課題は、鋼矢板を確実にかつ簡単に把持することができ、安全性および作業性にすぐれた鋼矢板吊り具を提供することである。
【課題を解決するための手段】
【００１１】
本考案者らは、上記の課題を解決すべく鋭意検討を重ねた結果、従来の吊り具のように単に継手係止部材を鋼矢板の継手部分に挿入し係止させるだけでなく、継手部の外面に面材を添わせることにより、鋼矢板を確実に吊り上げることができ、鋼矢板が誤って落下する危険性がなくなり、しかも継手係止部材を面材に対して回動自在に取り付けることにより、継手係止部材を鋼矢板の継手部に簡単に係止させることができ、鋼矢板を吊り上げる作業効率も向上するという新たな事実を見出し、本考案を完成するに至った。
【００１２】
すなわち、本考案の鋼矢板吊り具は、以下の構成を有する。
（1）鋼矢板を、長手方向を横向きにした姿勢で吊り上げるための吊り具であって、第１面材と第２面材とを互いに離隔対向した状態で一体に連結すると共に、少なくとも第１面材は、該第１面材近傍で、前記鋼矢板の一側壁部先端の継手部に係止する継手係止部材を回動自在に保持しており、前記継手係止部材が鋼矢板の前記継手部に係止した状態で、前記第２面材は下部が前記継手部の外面に添うのに充分な長さを有しており、前記継手係止部材が鋼矢板の前記継手部に係止して前記鋼矢板を吊り上げた状態で、継手係止部材が回動するのを阻止するための回動阻止手段が設けられ、さらに第１面材および／または第２面材に吊り部材を取り付けたことを特徴とする鋼矢板吊り具。
【００１３】
（2）第１面材および第２面材が、前記第１面材近傍で、前記継手係止部材を回動自在に保持している（1）記載の鋼矢板吊り具。
（3）離隔対向した前記第１面材および第２面材には貫通口が形成されており、これらの貫通口に筒体の両端を挿入すると共に、筒体の第１面材近傍に前記継手係止部材が取り付けられている（1）または（2）記載の鋼矢板吊り具。
（4）前記第１面材と対向する第２面材の内面には、前記鋼矢板を吊り上げた状態で、鋼矢板の継手部より上方に位置するピン部材が突設されている（1）〜（3）のいずれかに記載の鋼矢板吊り具。
（5）前記回動阻止手段が、第１面材および第２面材に外挿された外挿材であり、この外挿材が、前記鋼矢板を吊り上げた状態で第１面材および第２面材の外面に沿って下部に落下して継手係止部材の回動を阻止する（1）〜（4）のいずれかに記載の鋼矢板吊り具。
（6）前記第１面材の下端面は、該第１面材の幅方向の少なくとも半分が前記継手係止部材の回転中心軸を中心とする円弧状に形成されており、前記継手係止部材の外面には、前記第１面材の下端面に接触ないし近接するガイド部が突設されており、前記継手係止部材が、前記ガイド部に案内されながら、円弧状に形成された前記第１面材の下端面に沿って、第１面材の側面部から下端面部に至る範囲を回動するように構成されている（1）〜（5）のいずれかに記載の鋼矢板吊り具。
（7）前記鋼矢板が軽量鋼矢板である（1）〜（6）のいずれかに記載の鋼矢板吊り具。
【考案の効果】
【００１４】
本考案の上記（1）〜（3）によれば、継手係止部材を鋼矢板の継手部分に係止させ、かつ継手部の外面に第２面材を添わせることにより、振動や衝撃で鋼矢板が継手係止部材から外れて落下する危険性がなくなり、鋼矢板を確実にかつ簡単に吊り上げることができ、安全性が向上する。
そして、継手係止部材を鋼矢板の継手部分に係止させ、かつ継手部の外面に第２面材を添わせるために、本考案の上記（1）〜（3）では、継手係止部材を第１、第２面材に対して回動させて、所定位置で鋼矢板の継手部分に係止させ、ついで継手部の外面に第２面材を添うように第１、第２面材を継手係止部材に対して回動させ、しかる後、回動阻止手段で継手係止部材が第１、第２面材に対して回動するのを阻止するように構成しているため、鋼矢板を吊り上げて搬送する作業が簡単になり、作業性が向上するという効果がある。
【００１５】
上記（4）によれば、前記鋼矢板を吊り上げた状態で、鋼矢板の継手部より上方に位置するように、第２面材の内面にピン部材を突設させているので、鋼矢板の保持がより確実になり、安全性が高まる。
【００１６】
上記（5）によれば、回動阻止手段が、第１、第２面材に外挿された外挿材であるので、継手係止部材を鋼矢板の継手部分に係止させ、かつ継手部の外面に第２面材を添わせて、鋼矢板吊り具を上方に持ち上げると、外挿材が自重により第１、第２面材の外面に沿って下部に落下して継手係止部材の回動を阻止することができ、吊り上げ作業が簡単である。
【００１７】
上記（6）によれば、前記継手係止部材を第１面材の下端面部から側面部に向かって回動させていくと、継手係止部材から突設したガイド部が第１面材の側面部に当接するので、それ以上回動せず、第１面材の側面部から下端面部に至る範囲を回動するように構成されているので、作業時の安全性が高くなる。特に、上記（7）のように、該第１面材の幅方向の半分のみを円弧状に形成し、継手係止部材が第１面材の一側面部から下端面部に至る約９０度の範囲を回動するようにすると、より安全性が高くなる。
【考案を実施するための最良の形態】
【００１８】
本考案の一実施形態を図１〜図５に示す。図１はこの実施形態にかかる鋼矢板吊り具Ａを示す側面図であり、図２(a)は図１に示す吊り具の正面図、図２(b)はその背面図である。
【００１９】
図１に示すように、この吊り具Ａは、第１面材１、第２面材２および継手係止部材３を主要構成部材とする。第１面材１と第２面材２とは互いに離隔対向した状態で連結材４によって一体に連結されている。すなわち、連結材４は、後述する吊り部材を取付けるための筒体で構成され、両端が第１、第２面材１、２の上部に形成した貫通口５ａ,５ｂ内に挿入された状態で、例えば溶接などによって第１、第２面材１、２を一体に連結している（溶接部を符号６で示す）。なお、溶接に代えて、鋳物や圧入などの手段で接合してもよい。
【００２０】
継手係止部材３は、第１、第２面材１，２に、前記第１面材１の近傍で回動自在に保持される。具体的には、離隔対向した第１、第２面材１，２の下部に貫通口８ａ，８ｂが形成されており、これらの貫通口８ａ，８ｂに筒体７の両端を挿入する。これによって、筒体７は第１、第２面材１，２に対して回動自在に保持される。継手係止部材３は、第１面材1の内面に接触した状態で、筒体７に例えば溶接などによって固定されている（溶接部を符号９で示す）。筒体７内にはボルト１０が挿通され、該ボルト１０をナット１１（袋ナットなど）と螺合させている。これにより、筒体７が第１、第２面材１，２から離脱するのをボルト頭１０とナット１１とで防止している。なお、筒体７を設けずに、ボルト１０とナット１１のみであってもよい。この場合は、ボルト１０が第１、第２面材１，２に対して回動自在に挿通され、ボルト１０に継手係止部材３が取り付けられることになる。
【００２１】
継手係止部材３は、下端部を内側に折曲して、鋼矢板の前記継手部に係止するフック部１２が形成されている。また、継手係止部材３の外面には、例えば溶接などによってガイド部１３が一体に形成されている。
【００２２】
ガイド部１３は、図２（a）に示すように、上端面３ａが第１面材１の下端面に接触ないし近接している。一方、第１面材１の下端面の半分は、筒体７の中心軸Ｃを中心とする円弧状に形成されている。このため、継手係止部材３は、筒体７の中心軸Ｃを中心にして矢印Ｒ方向に第１面材の一側面部から下端面部に至る範囲、すなわち約９０度の角度の範囲を回動可能となる。すなわち、ガイド部１３が第１面材１の下端面および側面部に当接することによって、それ以上回動するのが阻止されるので、不用意に継手係止部材３が回動することがなく、安全性が高まる。また、ガイド部１３が第１面材１の下端面に添って回動するので、継手係止部材３の回動をスムーズに行なうことができ、さらに回動阻止部材であるリング材１５の動作も円滑となる。
【００２３】
なお、この実施形態におけるガイド部１３は、継手係止部材３の補強も兼ねているが、ガイド部は少なくとも第１面材１の下端面に接触ないし近接するピンのような突起物であってもよい。
【００２４】
また、図１に示すように、第１面材１と対向する第２面材２の内面には、ピン部材１４が突設されている。このピン部材１４は、例えば第２面材２に設けたねじ溝１６にねじ棒の一端を螺合させ、さらにナット１７と螺合させている。ピン部材１４は、継手係止部材３のフック部１２より上方に位置する。
【００２５】
さらに、第１、第２面材１，２にはリング材１５が外挿されている。図１では、説明の便宜上、リング材１５は第１、第２面材１，２の上部に位置しているが、図１に示す状態では、リング材１５は自重により下方に落下して、ボルト頭１０ａおよびナット１１上に止まるように構成されている。リング材１５がボルト頭１０ａおよびナット１１上に止まっている状態では、継手係止部材３と第１、第２面材１，２相互の回動がリング材１５によって阻止される。
【００２６】
次に、この実施形態にかかる鋼矢板吊り具の動作を図３〜５に基づいて説明する。この実施形態では、吊り上げる鋼矢板として軽量鋼矢板１８を使用している。軽量鋼矢板１８を吊り上げるには、まず、図３に示すように、軽量鋼矢板１８の一側壁部先端の継手部１９に継手係止部材３先端のフック部１２を係止させる。このとき、リング部材１５は第１、第２面材１，２の上方にあり、継手係止部材３は第１面材１の長手方向に対して回動（図３では約９０°回動）させた状態にある。
なお、第１、第２面材１，２を連結する筒形の連結材４には、チェーン２１の一端が接続した吊り部材２０が取り付けられている。
【００２７】
図３に示す状態から、図２（a）に示す筒体７の中心軸Ｃを中心に第１、第２面材１，２を回動させて、第１、第２面材１，２の長手方向を継手係止部材３の長手方向と一直線上に揃える。ついで、図４に示すように、軽量鋼矢板１８を吊り上げるために、チェーン２１で吊り部材２０を持ち上げると、リング材１５が自重で落下して、ボルト頭１０ａおよびナット１１に止まり、継手係止部材３と第１、第２面材１，２との回動を阻止する。
【００２８】
このように継手係止部材３に対して第１、第２面材１，２が回動するので、第２面材２の下部を継手部１９の外面に添わせることができる。
【００２９】
図５は、図４の状態を経て軽量鋼矢板１８を完全に吊り上げた状態を示している。この状態では、継手係止部材３のフック部１２が軽量鋼矢板１８の継手部１９に継手係止部材３先端のフック部１２が係止し軽量鋼矢板１８を保持している。そして、継手部１９の外面には第２面材２を沿わせているので、軽量鋼矢板１８が吊り上げ時の振動や衝撃で継手係止部材３のフック部１２から外れて落下する危険性をなくすことができる。
【００３０】
また、吊り上げた軽量鋼矢板１８の継手部１９の上方には、ピン部材１４が突設されているので、軽量鋼矢板１８がフック部１２から外れるのをより確実に防止することができ、安全性の高いものになる。
【００３１】
さらに、軽量鋼矢板１８の荷重は、継手係止部材３を介して筒体７で受ける。この筒体７は両端が第１、第２面材１，２で支持されているので、軽量鋼矢板１８の荷重に対して充分な強度を有している。
【００３２】
なお、ピン部材１４は必要に応じて省略することができる。また、継手係止部材３が回動するのを阻止するための回動阻止手段として、リング材１５に代えて、例えば図示しないピンを第１面材１と継手係止部材３とに形成した孔の差し込んで回動するのを阻止するなどの手段を採用してもよい。さらに、吊り部材２０は第１、第２面材１，２のいずれか一方のみに取り付けてもよい。
【図面の簡単な説明】
【００３３】
【図１】本考案の一実施形態である鋼矢板吊り具の側面図である。
【図２】（a）は図１の吊り具の正面図、（ｂ）はその背面図である。
【図３】本考案の一実施形態にかかる吊り具で軽量鋼矢板を吊り上げる直前の動作を示す一部破断斜視図である。
【図４】軽量鋼矢板の一側壁部を吊り上げた直後の動作を示す一部破断斜視図である。
【図５】軽量鋼矢板を完全に吊り上げた状態を示す一部破断斜視図である。
【図６】鋼矢板を用いる通常の土留壁を示す部分斜視図である。
【図７】従来の鋼矢板の吊り上げ状態を示す説明図である。
【図８】従来の鋼矢板の吊り上げ具を示す一部破断側面図である。
【符号の説明】
【００３４】
１：第１面材、２：、第２面材、３：継手係止部材、４：連結材、７：筒体、１４：ピン部材、１５：リング材（外挿材、回動阻止手段）、１８：軽量鋼矢板、２０：吊り部材、Ａ：鋼矢板吊り具
【図１】
0003114465.tif 000003
【図２】
0003114465.tif 000004
【図３】
0003114465.tif 000005
【図４】
0003114465.tif 000006
【図５】
0003114465.tif 000007
【図６】
0003114465.tif 000008
【図７】
0003114465.tif 000009
【図８】
0003114465.tif 000010